(57)【特許請求の範囲】
【請求項１】
インピーダンス測定装置から電気ケーブル、導電性筐体内の基板、導電性筐体を経て大地に帰還するコモンモード電流を検出することによってコモンモード・インピーダンスを測定する際に用いられる治具であって、
前記導電性筐体の外部より前記基板を前記導電性筐体内に支持する支持部材と、
前記インピーダンス測定装置からの電気ケーブルの接続部を支持すると共に前記支持部材を支持する導電性基体と、
前記基板から前記接続部に亘る間に配線された導電線路部材とを備え、
前記支持部材は、前記筐体内に延びて先端側で前記基板を支持し、その一部に方向を変える連結部を持つ腕部を備えること
を特徴とするインピーダンス測定装置用治具。
【請求項２】
前記連結部は、略球状形状のボールと、該ボールを外囲する全方向に屈曲自在な屈曲部とから成る自在継手であること
を特徴とする請求項１記載のインピーダンス測定装置用治具。
【請求項３】
前記基板は、金属製であること
を特徴とする請求項１又は２記載のインピーダンス測定装置用治具。
【発明の詳細な説明】
【０００１】
【発明の属する技術分野】
本発明は、電子回路商品全体のコモンモードノイズに対するノイズ耐性を評価する際に、耐性要因となる導電性筐体の導電率の影響を評価するためのインピーダンス測定技術に関する。
【０００２】
【従来の技術】
従来、電子回路商品のコモンモード・インピーダンス評価としては、電子回路商品内に実装された状態の電子回路基板にインピーダンス測定装置を接続してインピーダンスを測定し、これにより電子回路商品全体についてのコモンモード・インピーダンス評価を行っていた。
【０００３】
【発明が解決しようとする課題】
ところで、電子回路商品全体としては、導電性筐体内のハーネス（信号線、電線等）の影響や電子回路基板と導電性筐体とのアース接続方法などの違いにより、導電性筐体の導電率を変化させたとしても、そのノイズ耐性に対する傾向を明確に把握することは困難であり、その評価にも限界があった。
【０００４】
本発明は、かかる事情に鑑みてなされてものであり、その目的は、導電性筐体のコモンモードノイズ耐性の影響評価を可能とするようなインピーダンス測定装置用治具を提供することである。
【０００５】
【課題を解決するための手段】
上記目的を達成するために、本発明によれば、インピーダンス測定装置から電気ケーブル、導電性筐体内の基板、導電性筐体を経て大地に帰還するコモンモード電流を検出することによってコモンモード・インピーダンスを測定する際に用いられる治具であって、前記導電性筐体の外部より前記基板を前記導電性筐体内に支持する支持部材と、前記インピーダンス測定装置からの電気ケーブルの接続部を支持すると共に前記支持部材を支持する導電性基体と、前記基板から前記接続部に亘る間に配線された導電線路部材とを備え、前記支持部材は、前記筐体内に延びて先端側で前記基板を支持し、その一部に方向を変える連結部を持つ腕部を備えることを特徴とする。
【０００６】
上記構成によれば、反射法にて基板及び導電性筐体のコモンモード・インピーダンスに対する影響を定量的に測定でき、電子商品の耐ノイズ性に対する、導電性筐体の導電率の影響を測定することができる。そして、前記支持部材は、前記筐体内に延びて先端側で前記基板を支持し、その一部に方向を変える連結部を持つ腕部を備えるので、基板は、導電性筐体内の任意の位置で支持され得る。そのため、基板の位置が様々な場合における導電性筐体の導電率の影響を測定して評価することができる。
【０００７】
また前記連結部は、略球状形状のボールと、該ボールを外囲する全方向に屈曲自在な屈曲部とから成る自在継手であるので、基板は、導電性筐体内の任意の位置で支持され得る。そのため、基板の位置が様々な場合における導電性筐体の導電率の影響を測定して評価することができる。
【０００８】
また、前記基板は、金属製であるので、金属製の基板と導電性筐体とでさらに強力な容量性結合が得られるため、絶対測定値が下がり、測定精度を向上することができ、導電性筐体の導電率変化による耐ノイズ性の影響傾向を容易に把握することができる。
【０００９】
【発明の実施の形態】
図１は、本発明に係る治具が適用されるインピーダンス測定装置の基本構成図であり、図２は測定対象部の側面断面図であり、図３は、測定治具の腕部を示す図である。
【００１０】
図１に示すように、本発明では基板３０、導電性筐体４、インピーダンス測定装置として機能する公知のネットワークアナライザ１及び測定装置用治具１００より構成される。なお、図１において、導電性筐体４は仮想線で図示している。
【００１１】
ネットワークアナライザ１は、対象周波数レンジで正弦波をスティミュレイトして被測定デバイスであるリニア回路網等のインピーダンス特性を測定するもので、測定は被測定デバイスをコンポーネントで取り囲んだ状態で行う。すなわち、ネットワークアナライザ１は図示していないが信号分離手段及び被測定デバイスをスティミュレイトする正弦波信号の発生源と、インピーダンスが電圧と電流との比であることから被測定デバイスの測定ポートから入力され所定の信号を分離する手段と、分離された電圧と電流の信号を検出して信号比を演算により求める手段と、その結果をインピーダンス特性として表示する表示部１０１とを備えている。
【００１２】
図１に示すように、導電性筐体４は例えば直方体形状の筐体であり、図２に示すごとく、その内部の任意の位置に基板３０が後述する支持部材１１０により支持されるもので、導電性筐体４と基板３０は被測定デバイスとなる。また、導電性筐体４は、基準大地６と絶縁状態を保持するために、所定高さを有する木製台１２等の絶縁部材を介して固定されている。
【００１３】
図２に示すように、導電性基体として機能するＬ型基準板５は水平部及び垂直部を有するＬ型導電性金属から構成されており、前記基準大地６に確実に導通（接地）するように、所定面積を有する水平部が基準大地６に固定されている。そして、その垂直部の所要位置に形成されている開口部（図示していない）で貫通型Ｎ型コネクタ７（接続部として機能している）を保持している。なお、前記Ｌ型基準板５において開口部が形成される位置は、前記導電性筐体４の貫通孔３（後述する）の高さに応じて適宜設定されるものである。
【００１４】
前記貫通型Ｎ型コネクタ７の他端（右端）は、同軸ケーブル８（電気ケーブルとして機能している）の内側芯線（内導体）と接続されることにより、図１に示すようにネットワークアナライザ１に電気的に接続されている。因みに、ネットワークアナライザ１としては、日本ヒューレットパッカード社製ＨＰ４１９５Ａに、アダプターとしてのインピーダンス・テストキットＨＰ４３９６１Ａを接続して適用している。
【００１５】
また、接続線付きコネクタ１１（導電線路部材として機能している）は、全体が導電性材料から形成され前記貫通型Ｎ型コネクタ７の一端（左端）に接続して保持される。さらに、接続線付きコネクタ１１の左端部にはボール１０ｂが設けられており、該ボール１０ｂが後述する連結部の一部を構成している。
【００１６】
なお、前記貫通型Ｎ型コネクタ７のアース側は前記Ｌ型基準板５を介して基準大地６と接続（接地）されているとともに、同軸ケーブル８の外側線（外導体）と接続されることにより、基準大地６は、ネットワークアナライザ１に電気的に接続される。
【００１７】
図３に示すように、腕部２（支持部材１１０の一部として機能する）は、導電性の金属より形成され、その両端部には全方向に屈曲自在な屈曲部２０，２２が設けられていて、腕部２の右側の屈曲部２２は、図３に示すごとく導電性筐体４の筐体貫通孔３の位置に配置されている。また、導電性の金属板３０の右端部中央部には、導電性金属棒３０ａが連設されており、該導電性金属棒３０ａの先端部に導電性金属のボール１０ａが設けられている。
【００１８】
一方、前記接続線付きコネクタ１１の左端部には導電性金属のボール１０ｂが設けられている。
【００１９】
なお、一般に屈曲部２０，２２及びボール１０ａ，１０ｂはユニバーサルジョイント（自在継手）と称され、連結部を構成している。また、腕部２と前記連結部で支持部材１１０を構成している。
【００２０】
詳述すると、前記ボール１０ａ，１０ｂは略球状形状であり、屈曲部２０，２２はこのボール１０ａ，１０ｂを外囲しており、屈曲部２０，２２の内径は前記ボール１０ａ，１０ｂの外径よりも若干小さめに形成されており、屈曲部２０，２２はボール１０ａ，１０ｂを介して金属板３０を保持し、支持部材１１０は金属板３０を導電性筐体４内の任意の位置で支持することができる。
【００２１】
また、導電性の金属板３０はその形状（大きさ、厚さ）が電子回路商品の一部を構成する筐体４（後述する）内に実装される電子回路基板と同一形状を有していることが好ましい。
【００２２】
なお、図２では、支持部材１１０により金属板３０を導電性筐体４内でその底面と平行に支持する状態を示し、図３では、支持部材１１０により金属板３０を導電性筐体４内でその底面と垂直に支持する状態を示している。
【００２３】
このようにして、金属板３０は、腕部２、接続線付きコネクタ１１、貫通型Ｎ型コネクタ７、同軸ケーブル８の内導体を介してネットワークアナライザ１へ接続され、一方、基準大地６は同軸ケーブル８の外導体を介してネットワークアナライザ１と接続されている。従って、測定装置用治具１００はＬ型基準板５、貫通型Ｎ型コネクタ７、接続線付きコネクタ１１、支持部材１１０等を含んで構成されている。
【００２４】
そして、図２に示すように、金属板３０が導電性筐体４に接触しないように腕部２の両端部に設けられている屈曲部２０，２２の位置を調整することにより金属板３０を導電性筐体４内の任意の位置へ移動させて、位置決めして当該位置でインピーダンス測定を行う。これにより金属板３０と導電性筐体４のコモンモード・インピーダンス値がネットワークアナライザ１で測定され、表示部１０１に表示されることになる。このようにして、電子回路基板を導電性筐体４に対してどの位置においてどのように配置させるのがノイズ対策上、最適であるかを評価することができる。
【００２５】
さらに、実装する電子回路基板に代えて同一サイズの金属板３０を用いることにより、導電性筐体４と金属板３０との容量性結合が増すため、測定精度が向上し、導電性筐体４の導電率を変化させた場合、その影響を容易に把握することができる。
【００２６】
従って、実装基板を導電性筐体４内に配置してインピーダンスの絶対値を測定するのではなく、金属板３０を用いて、容易に相対評価を行うことができるので、金属板３０にて導電性筐体４内における最適位置、配置を決定した後、実装基板を導電性筐体４内に配置してインピーダンスの絶対値を測定すれば、実際の測定時間を短縮することができ効果的である。
【００２７】
同様にして、導電性筐体４の材料、形状、大きさを変更して、金属板３０に対するインピーダンスの変化を測定して、最適な導電性筐体４の材料、形状、大きさ等を適宜設定して電子回路全体を設定することができる。
【００２８】
本発明は以上の実施形態に限定されるものではなく、以下に示す変更態様を採用することができる。
【００２９】
（１）上記実施形態においては、腕部２の両端部に連結部を設けたが、少なくとも一方に設けたものであってもよい。
【００３０】
（２）また、上記実施形態においては、Ｌ型基準板５を適用したが、これに代えて、逆Ｔ型の基準板を適用することも可能である。この場合、基準板自体の剛性が強化され、接続部である貫通型Ｎ型コネクタ７をさらに安定して支持することができる。
【００３１】
（３）また、上記実施形態においては、支持部材１１０としては腕部２の両端部に屈曲部２０、２２を設け、導電性金属棒３０ａ、接続線付きコネクタ１１の先端部にボール１０ａ，１０ｂを設けたものを例示したが、腕部２の両端部にボールを設け、導電性金属棒３０ａ、接続線付きコネクタ１１の先端部に屈曲部を設ける構成であってもよい。
【００３２】
（４）また、上記実施形態においては、連結部は屈曲部及びボールによって構成したが、これに代えて、蝶番形式の構造を適用することも可能である。
【００３３】
【発明の効果】
以上、詳述したごとく、本発明によれば、インピーダンス測定装置から電気ケーブル、導電性筐体内の基板、導電性筐体を経て大地に帰還するコモンモード電流を検出することによってコモンモード・インピーダンスを測定する際に用いられる治具であって、前記導電性筐体の外部より前記基板を前記導電性筐体内に支持する支持部材と、前記インピーダンス測定装置からの電気ケーブルの接続部を支持すると共に前記支持部材を支持する導電性基体と、前記基板から前記接続部に亘る間に配線された導電線路部材とを備え、前記支持部材は、前記筐体内に延びて先端側で前記基板を支持し、その一部に方向を変える連結部を持つ腕部を備える構成とされている。
【００３４】
上記構成によれば、導電性筐体自体のコモンモード・インピーダンスを測定し、導電性筐体の導電率の影響を傾向として評価することができる。そして、支持部材は、筐体内に延びて先端側で基板を支持し、その一部に方向を変える連結部を持つ腕部を備える構成としたので、導電性筐体内における基板の位置を自由に設定、変更することができ、基板の位置が様々な場合における導電性筐体の導電率の影響を測定して評価することができる。
【００３５】
また、前記連結部は、略球状形状のボールと、該ボールを外囲する全方向に屈曲自在な屈曲部とから成る自在継手であるので、基板は、導電性筐体内の任意の位置で支持され得る。そのため、基板の位置が様々な場合における導電性筐体の導電率の影響を測定して評価することができる。
【００３６】
また、前記基板として、金属製のものを用いることによって、金属板と導電性筐体との容量性結合を高くすることができ、この結果、絶対測定値を下げ、測定精度を向上することができ、導電性筐体の導電率変化による耐ノイズ性の影響傾向を容易に評価することができる。
【図面の簡単な説明】
【図１】導電性筐体のインピーダンス測定装置の基本構成図である。
【図２】測定対象部の側面断面図である。
【図３】測定治具の腕部を示す図である。
【符号の説明】
１  ネットワークアナライザ（インピーダンス測定装置）
２  腕部
４  導電性筐体
５  Ｌ型基準板（導電性基体）
６  基準大地（大地）
７  貫通型Ｎ型コネクタ（接続部）
８  同軸ケーブル（電気ケーブル）
９  ネットワークアナライザ（インピーダンス測定装置）
１０ａ，１０ｂ  ボール（連結部）
１１  接続線付きコネクタ（導電線路部材）
２０，２２  屈曲部（連結部）
３０  金属板（基板）
１００  治具
１１０  支持部材
【図１】
0003632554.tif 000002
【図２】
0003632554.tif 000003
【図３】
0003632554.tif 000004